(57)【要約】【課題】本発明は、道路上の横断歩道部等の表示ライン用カラータイル及び道路上の表示図画用カラータイルとその施工工法及び改修工法を提供すること。【解決手段】本発明の表示ライン用及び表示図画用のカラータイルは、可撓性があり、且つ、表面に蓄光石等を散在定着させ暗闇で輝き歩行者を安全に誘導できる機能を有する。このカラータイルは、アスファルト敷設面等に研削機で凹部を造り、カラータイルの下部を直火バーナー等で熱し可撓性を有効に利用して凹部に敷設することを特徴とする。【選択図】図７
2009127412.tif 000002
【特許請求の範囲】
【請求項１】
蓄光石、蓄光ガラス、蓄光プラスチックを表面に散在定着させた構成を特徴とする可撓性のある舗装用カラータイル。
【請求項２】
請求項１の舗装用カラータイルは、有色アスファルトをバインダーとして石粉、スクリーニングス・細砂・天然有色骨材、人造有色骨材及び色合い調整用顔料等に、蓄光石、蓄光ガラス、蓄光プラスチックを５乃至１３ミリメートルの破砕片にし、常温で可撓性が得られるように配合して、混合物を加熱混合し、加熱混合後冷却しながら矩形扁平体に成形し、この矩形扁平体を縦方向にダイヤモンドブレードでカットし、切断面に蓄光石等が散在定着したことを特徴とする可撓性のある舗装用カラータイル。
【請求項３】
及び、加熱混合後冷却しながら得られた矩形扁平体の表面を、ダイヤモンド研削機等で研磨して得られる、蓄光石等の散在定着したしたことを特徴とする可撓性のある舗装用カラータイル。
【請求項４】
蓄光石、蓄光ガラス、蓄光プラスチックを表面に散在定着させた可撓性のある舗装用カラータイルを施工するに当たり、敷設部に凹部を設けこの舗装用カラータイルの下面を直火バーナ等で加熱し、可撓性を有効に利用して凹部に敷設することを特徴とする施工方法。
【発明の詳細な説明】
【技術分野】
【０００１】  この発明は、道路の歩行帯等を日没後の暗闇でも自ら光り安全に歩行者等を誘導する、舗装用カラータイル及びその施工工法に関する。特に、カラー舗装において求められる、ショッピングエリア、公園施設、横断歩道帯、横断歩道及びその階段等で使用する誘導表示用ライン及び図画表示、自動車の運転手等に知らせる誘導表示用ライン等に有効な技術に関する。
【背景技術】
【０００２】  一般に暗闇で歩行者を安全に誘導する道路上の横断歩道面は、白線樹脂上に特殊な反射片、ガラスビーズ等を散在させる方法、電灯、発光ダイオード等による電気的方法で歩道帯であることを知らせる方法等で、そこが歩行者の歩道帯であることを表示する手段を採用することで達成している。【０００３】  しかし、横断歩道部を示す白線上に特殊な反射片、ガラスビーズ等を散在させる方法は、歩行者の踏圧と自動車の走行で、白線樹脂母材と特殊な反射片やガラスビーズは剥離磨耗しその機能が消滅する課題がある。【０００４】  また、電球、発光ダイオード等を用いる電気的方法は、電気配線工事が必要と成り費用の問題で施工場所が限られること、及び、断線により安全表示機能が不能となる課題がある。【０００５】  そこで、本発明の蓄光石等を散在定着させた可撓性のある舗装用カラータイルとその施工工法で歩行帯を表示する方法は、母材の舗装用カラータイル及びカラータイル表面の蓄光石等は剥離することなく、また、暗闇で蓄光石等が自ら光り歩道帯等を表示することが提供できる。
【特許文献１】特開昭６１年−０２５８４３号公報
【特許文献２】特開昭６３年−１３１０５３号公報
【非特許文献１】第１９回日本道路会議一般論文集、カラーバインダーを用いた薄型カラー舗装タイルの施工事例
【発明の開示】
【発明が解決しようとする課題】
【０００６】  前記した如く、歩行帯の表示機能が剥離等で消滅しない等の路面表示機能を得るためには、路面表示機能部分を構造的に解決するか、断線しない電気的手段などの方法を採用するかの施工工法があるが、施工負荷の問題、コストの問題等で最良の方法ではない。【０００７】  一般に路面表示機能は、短い施工期間が要求されることと、機能の耐久性が求められる。【０００８】  そこで、本発明は以上のような従来の欠点に鑑み、路面表示機能に用いる舗装用カラータイルとその施工工法において、従来では得られなかった蓄光石等をタイル表面に散在定着させた舗装用カラータイルとその施工工法の採用により、歩行者等を暗闇でも安全に誘導する表示機能が、歩行者の踏圧と自動車の走行等で剥離磨耗することなくより耐久的に、且つ、景観を重視した都市構築を満足する、蓄光石等をタイル表面に散在定着させた可撓性のある舗装用カラータイル及びその施工工法を提供することを目的としている。
【課題を解決するため手段】
【０００９】  このため、請求項１に係わる舗装用カラータイルは、蓄光石、蓄光ガラス、蓄光プラスチックを表面に散在定着させた構成を特徴とする可撓性のある舗装用カラータイル。
【００１０】  請求項２に係わる舗装用カラータイルの発明は、有色アスファルトをバインダーとして細砂、石粉、天然有色骨材、人造有色骨材及び色合い調整用顔料等に、蓄光石、蓄光ガラス、蓄光プラスチックを５乃至１３ミリメートルの破砕片にし、常温で可撓性が得られるように配合して、混合物を加熱混合し、加熱混合後冷却しながら矩形扁平体に成形し、この矩形扁平体を縦方向にダイヤモンドブレードでカットし、切断面に蓄光石等が散在定着したことを特徴とする可撓性のある舗装用カラータイル。
【００１１】  請求項３に係わる発明は、加熱混合後冷却しながら得られた矩形扁平体の表面を、ダイヤモンド研削機等で研磨して得られる、蓄光石等の散在定着したしたことを特徴とする可撓性のある舗装用カラータイル。
【００１２】  請求項４に係わる発明は、蓄光石、蓄光ガラス、蓄光プラスチックを表面に散在定着させた可撓性のある舗装用カラータイルを施工するに当たり、敷設部に凹部を設けこの舗装用カラータイルの下面を直火バーナー等で加熱し、可撓性を有効に利用して凹部に敷設することを特徴とする施工方法。
【実施例】
【００１３】  以下、図５乃至図７を参照にしてこの発明の一実施例を詳細に説明する。【００１４】  図５は、歩行帯等の表示ライン及び表示図画の施工計画横断斜視図、図６と図７は、蓄光石等を散在定着させた可撓性のある舗装用カラータイルの施工工法の横断斜視図で、４は路盤、５はアスファルト等の舗装層を示している。【００１５】  これらの図において、路盤４は一般的な砕石路盤である。アスファルト等舗装層５上の計画ライン６に歩行帯表示ライン材のカラータイル３を敷設施工する。【００１６】  次に施工方法に付いて説明すると、アスファルト等舗装層５の表示ライン部分を研削機７によって約５ミリメートル削って凹部を創る。【００１７】  アスファルト等舗装層５のライン凹部に接着剤としてアスファルト系乳剤を薄く塗布し乾燥後、蓄光石を散在定着させた可撓性のある舗装用カラータイル３の下面を直火バーナーで適度に暖めて、図７に示すように可撓性を利用して敷設し、当木で押さえ、目地部はライン表示材のカラータイル３と３を当木等で突き合わせ一面一体に仕上げることを特徴とするものである。【００１８】  このようにして完成した歩行帯等の表示ラインは、蓄光石等が散在定着していて暗闇でも横断歩道部分を表示する。且つ、このライン表示用カラータイル３は、滑り抵抗値（ＢＰＮ）ｄｒｙ約１００、ｗｅｔ約６０で通常のアスファルト路面の滑り抵抗値（ＢＰＮ）であり、歩行者は安全に歩行できる。
【発明の効果】
【００１９】  本発明の表面に蓄光石等を散在定着させた舗装用カラータイルは、石粉、スクリーニングス、細砂、有色石材、蓄光石等、顔料、バインダーが図１の混合比で組成され、加熱混合後の矩形扁平体図２は可撓性を有し、この矩形成形体を図３の如く厚さ方向に切断し、切断された切段面に有色骨材、蓄光石等が散在したモザイク模様となり、完成した図４のカラータイル３に、混入された蓄光石等３ａは母材の混合物３にグリップされ、自動車等の走行で剥離することなく、暗闇でも歩行者を安全に誘導する横断歩道部等の表示機能を提供することを目的としている。
【００２０】  図４の蓄光石３ａは、蓄光剤・顔料・陶土等を混練し焼成した有色焼物を破砕粒調して成る砕石で、暗闇で光る特徴を有している。また、蓄光ガラスも珪石等と蓄光剤を加熱溶融し冷却後、破砕粒調して成る砕片で、暗闇で光る特徴を有している。蓄光プラスチックも加熱溶融した樹脂類に蓄光剤を混入し冷却後、破砕、切断後粒調して成る砕片で、暗闇で光る特徴を有している。
【００２１】  この可撓性のある表面に蓄光石等を散在定着させた舗装用カラータイルの施工工法は、舗装路面に凹部を造り、舗装用カラータイル３の下面を直火バーナー等で適度に暖め、可撓性を利用して敷設し、目地部は突き合わせ一面一体に仕上げることを特徴とするもので、歩道表示部分等の耐久性と安全性確保の課題解決を提供することを目的としている。
【００２２】  本発明は、完成後の養生時間も必要としないので、作業終了後直ちに供用できるため、工期短縮というトータル的なコストダウンを提供することができる。
【００２３】  本発明は、模様貼り、デザイン図画も施工でき、施工場所の文化にマッチングした景観舗装を提供することができる。
【００２４】  また、横断歩道橋橋面及び階段部の舗装材に使用することで、歩行者を暗闇でも安全に誘導することが提供できる。
【図面の簡単な説明】
【００２５】
【図１】可撓性を有するカラータイルの混合組成表
【図２】加熱混合後の扁平成形体斜視図
【図３】扁平成形体カット斜視図
【図４】２つ割りのカラータイル斜視図
【図５】歩道帯施工計画道路の断面斜視図
【図６】歩道帯施工部の凹部研削斜視図
【図６】凹部への可撓性を有するカラータイル施工斜視図
【符号の説明】
【００２６】  １    扁平成形体
２    ダイヤモンドカッターブレード
３    蓄光石等を表面に定着させた可撓性を有するカラータイル
３ａ  蓄光石等の切断輝光面
４    路盤
５    アスファルト舗装層、コンクリート舗装層
６    歩道帯表示ライン計画線
７    路面研削機
８    歩道帯表示ライン施工凹部
【図１】
2009127412.tif 000003
【図２】
2009127412.tif 000004
【図３】
2009127412.tif 000005
【図４】
2009127412.tif 000006
【図５】
2009127412.tif 000007
【図６】
2009127412.tif 000008
【図７】
2009127412.tif 000009
【手続補正書】
【提出日】平成20年2月2日(2008.2.2)
【手続補正１】
【補正対象書類名】明細書
【補正対象項目名】００２５
【補正方法】変更
【補正の内容】
【００２５】
【図１】可撓性を有するカラータイルの混合組成表
【図２】加熱混合後の扁平成形体斜視図
【図３】扁平成形体カット斜視図
【図４】２つ割りのカラータイル斜視図
【図５】歩道帯施工計画道路の断面斜視図
【図６】歩道帯施工部の凹部研削斜視図
【図７】凹部への可撓性を有するカラータイル施工斜視図